(57)【特許請求の範囲】
【請求項１】
電路に介在する試験対象機器の漏電動作試験を行うための可搬型の漏電動作試験器であって、
試験対象機器における動作電流情報を入力する動作電流情報入力手段と、
該動作電流情報入力手段によって入力された動作電流情報に基づいて出力する電流値を演算し決定する出力電流値決定手段と、
前記動作電流情報入力手段によって入力された動作電流情報に基づいて決定された出力電流値を電路に出力する電流出力手段と、
測定対象機器の動作状態を検出する動作状態検出手段と、
該動作状態検出手段によって検出された動作状態データが入力されることによって測定対象機器が動作したか否かを判別する動作状態判別手段と、
電流出力手段による出力電流値の出力開始から動作状態判別手段の判別終了までの経過時間を計測する動作時間計測手段と、
出力された電流によって試験対象機器が漏電動作したか否かの情報を記憶する記憶手段とを備えるとともに、
前記動作電流情報の入力を補助するための情報入力補助手段を備え、前記出力電流値の出力と前記経過時間の計測とが同時に実行されることを特徴とする可搬型の漏電動作試験器。
【発明の詳細な説明】
【技術分野】
【０００１】
本発明は、可搬型の漏電動作試験器に関する。特に、試験対象機器毎に定められた試験電流情報の入力を補助する情報入力補助手段が設けられるとともに、試験対象機器が動作するまでの経過時間を計測する可搬型の漏電動作試験器に関するものである。
【背景技術】
【０００２】
試験対象機器における漏電動作電流を試験する装置は種々開示されている。例えば、感電事故の防止や電路の漏電発生による火災を防止するために設置される漏電遮断器や漏電継電器の動作確認を行うための装置として以下のような装置が開示されている。
【０００３】
特許文献１においては、試験時の正確性と簡単さを両立させるためになされた漏電遮断器テスタ２０が開示されている。
【０００４】
具体的には、試験対象機器となる漏電遮断器１０の動作テスト実施時に、漏電遮断器テスタ２０に設けられた試験を開始するためのボタンを押さなくとも、漏電遮断器１０の試験点にテスタの試験端子１，２を接触させてから一定の時間が経過すれば自動的に試験が開始されるものである。
【０００５】
特に、一定時の時間が経過してから動作テストを自動試験させるために、作業者の手の震えなどによる漏電遮断器１０の試験点と漏電遮断器テスタ２０の試験端子１，２との接触不良に起因するチャタリングによる誤試験を防止することができ正確性に優れたものである。
【０００６】
そして、試験電流を種々別の値に代えて、漏電遮断器１０の不動作確認を行ったり、動作確認を行う場合に、試験を連続して行いやすいものである。
【０００７】
試験端子１，２から手を離すことなく動作テストを実施することができるから、作業者にとっては動作テストの負担が軽減され、なおかつ、漏電遮断器１０の試験点と試験端子１，２との接触不良に起因するチャタリングに起因する誤試験が防止されるから試験の正確性と簡単さを両立させることができる。
【０００８】
特許文献２においては、試験時の操作性と作業能率を向上させるためになされた試験条件に見合った可変抵抗器の自動組み合わせを行う動作試験装置が開示されている。
【０００９】
具体的には、試験対象機器となる漏電遮断器１０の動作テスト実施時に、必要な電流の大きさを調整するための可変抵抗器を所定の抵抗値に調整する作業を行わなくとも、複数の固定抵抗と複数のリレースイッチを組み合わせた抵抗選択回路７と、キー入力された指令に基づきリレースイッチ（ＲＹ０，ＲＹ１，ＲＹ２，ＲＹ‘２）を開閉させて抵抗選択回路７の抵抗を所定の値に設定する手段を備えることによって、必要な電流の大きさを自動調整するものである。
【００１０】
動作テストに必要な電流の大きさをキー操作によって任意に選択可能とすることによって、煩雑な抵抗値調整作業が不要になったため、装置の操作性と作業能率の両方を向上させることができる。
【００１１】
特許文献３においては、試験時の容易性と試験の短時間化を両立させるためになされた漏電遮断器用テスタが開示されている。
【００１２】
具体的には、試験対象機器となる漏電遮断器４の感度電流試験作業の実施時に、クロックパルス生成部によってカウンタ回路にクロックパルスを入力させる。そして、クロックパルスが入力されたカウンタ回路の出力信号によってスイッチング素子を駆動させることにより、電路電圧の周波数の１サイクル毎に抵抗群Ｒの抵抗値が可変されて電路に流す疑似漏電電流の大きさを変化させていくものである。
【００１３】
これによって、漏電遮断器の感度電流試験作業時において、電路に流す疑似漏電電流の大きさを手動にて調整する必要がなくなるから、試験の容易性を試験の短時間化の両方を向上させることができる。
【００１４】
なお、漏電遮断器４がトリップしたときには、漏電遮断器テスタ４には電源が印加されなくなるが、前記スイッチング素子の接点はそのときの状態で保持されており、漏電遮断器テスタ４のプローブを漏電遮断器４の電源側回路に接続することにすることにより電源を回復させて、漏電遮断器テスタの表示値を読み取る。
【先行技術文献】
【特許文献】
【００１５】
【特許文献１】特開２００３−１９７０８３号公報
【特許文献２】特開２００１−８４８８７号公報
【特許文献３】実開平６−６４３４９号公報
【発明の開示】
【発明が解決しようとする課題】
【００１６】
このように、試験対象機器における漏電動作電流を試験する装置は種々開示されており、試験時の正確性，容易性，作業能率の向上等優れた効果を奏している。
【００１７】
一方、試験対象機器の漏電動作電流を試験するにあたり、試験作業者の試験負担を軽減し試験作業能率を向上させることに加え、電力の安定供給という観点を鑑みると、電力の需要側における機器の正常動作が該電力の安定供給を持続させる要因のひとつとなり得る。
【００１８】
即ち、需要側における機器が正常に機能することによって、電力の供給と利用の循環が成り立つため、需要者側の機器が正常動作するか否かを試験する際に、試験時のデータを記録しておいて、次回の試験時に参照したり、試験結果を比較することによって、機器の故障や正常動作しない可能性の傾向を把握することで、さらなる電力の安定供給に役立つことが期待される。
【００１９】
試験データについて過去のものと現在のものを比較したり、傾向を把握するにあたっては、試験を行う際の動作電流情報を入力する手間をできるだけ削減して、作業能率を向上させ、かつ情報入力の正確性を向上させることが望ましい。
【００２０】
また、出力される試験用の電流によってどのくらいの時間で動作するのか、その測定対象機器における実力値、即ち動作の下限値を把握し、該測定対象機器がどの程度の範囲で正常に動作するのかの把握を短時間で行い、作業能率を向上させることが必要である。
【００２１】
本発明は、上記の事情に鑑み、可搬型の漏電動作試験器において、作業者にとって試験時の動作電流情報を入力する手間を軽減できるとともに、入力データの正確性を向上させ、なおかつ、動作の下限値情報を短時間で得ることができる試験器を提供することを目的とする。
【課題を解決するための手段】
【００２２】
本発明に係る可搬型の漏電動作試験器は、上記課題を解決すべく構成されたもので、試験対象機器における動作電流情報を入力する動作電流情報入力手段と、該動作電流情報入力手段によって入力された動作電流情報に基づいて出力する電流値を演算し決定する出力電流値決定手段と、前記動作電流情報入力手段によって入力された動作電流情報に基づいて決定された出力電流値を電路に出力する電流出力手段と、
【００２３】
測定対象機器の動作状態を検出する動作状態検出手段と、
【００２４】
該動作状態検出手段によって検出された動作状態データが入力されることによって測定対象機器が動作したか否かを判別する動作状態判別手段と、
【００２５】
電流出力手段による出力電流値の出力開始から動作状態判別手段の判別終了までの経過時間を計測する動作時間計測手段と、
【００２６】
出力された電流によって試験対象機器が漏電動作したか否かの情報を記憶する記憶手段とを備えるとともに、
【００２７】
前記動作電流情報の入力を補助するための情報入力補助手段を備え、前記出力電流値の出力と前記経過時間の計測とが同時に実行されることを
【００２８】
特徴とするものである。
【００２９】
かかる構成によれば、動作電流情報を入力する際に、情報入力補助手段によって、情報入力が補助されるため、動作電流情報を入力する手間を軽減できるとともに、入力データの正確性を向上させることができる。また、測定対象機器の実使用時における動作電流値とその動作電流値における動作時間、即ち動作の下限値を把握することができる。
【発明の効果】
【００３０】
以上の如く、本発明は、可搬型の漏電動作試験器において、作業者にとって試験時の動作電流情報を入力する手間を軽減できるとともに、入力データの正確性を向上させることができ、なおかつ、動作の下限値情報を短時間で得る可搬型の漏電動作試験器を提供することができる。
【図面の簡単な説明】
【００３１】
【図１】第一の実施の形態に係わる可搬型の漏電動作試験器のブロック構成図
【図２】情報入力補助手段として撮像手段を用いた場合の概要図
【図３】情報入力補助手段として通信手段を用いた場合の概要図
【図４】第一の実施の形態における動作フローの説明図
【図５】第一の実施の形態における詳細動作フローの説明図
【図６】第一の実施の形態における詳細動作フロー（時間経過）の説明図
【図７】統計処理の例
【図８】統計処理の例
【図９】統計処理の例
【図１０】従来の形態に示されるテスタの説明図
【図１１】従来の形態に示されるテスタの説明図
【図１２】従来の形態に示されるテスタの説明図
【発明を実施するための形態】
【００３２】
以下，本発明の実施の形態について，図面を用いて説明する。
【００３３】
（第一の実施形態）
【００３４】
まず、本実施形態に係る可搬型の漏電動作試験器の基本構成について、図１のブロック図を用いて説明する。
【００３５】
図１は、可搬型の漏電動作試験器を漏電遮断器に適用した例を示している。１は本件発明の可搬型の漏電動作試験器の本体、１０は試験対象機器となる漏電遮断器、２１，２２は可搬型の漏電動作試験器１を漏電遮断器１０に電気的に接続するテストリードである。
【００３６】
本体１は、外形が略直方体形状をしており、筐体は、樹脂製のケースとカバーとからなる。筐体の内部には電源回路や、前記テストリード２１，２２から電流を出力するための出力回路等、主要機器が収納されている。本体の大きさは、縦×横およそ２０ｃｍ四方、高さが１０ｃｍ程度であり、また重さが約２ｋｇほどに構成されており、片手で持って持ち運びが可能となっている。
【００３７】
可搬型の漏電動作試験器の本体１の内部には、本体１の電源となる電源部１４を備えている。電源部１４は、一次電池または二次電池の電源とスイッチを介して接続されており、電圧調整部等を備えて構成され、本体１内の各回路に電源を供給している。
【００３８】
また、本体１には、試験に係わる情報を入力するための情報入力手段１１が備えられており、試験対象機器となる漏電遮断器１０の動作電流情報を入力する動作電流情報入力手段１１１と、周囲環境情報を入力する周囲環境情報入力手段１１３と、試験対象機器となる漏電遮断器１０等の機器情報を入力する機器情報入力手段１１２と、情報入力補助手段１１４とを備えている。
【００３９】
出力電流値決定手段１２においては、動作電流情報入力手段１１によって入力された動作電流情報に基づいて、出力する電流値を演算し決定する。そして、決定された出力電流値を出力する電流出力手段１３とを備えている。なお、動作電流情報入力手段１１は液晶パネルを備え、出力電流値や測定対象機器の動作状態を表示する。
【００４０】
出力電流値決定手段１２は、マイコンを用いて構成している。動作電流情報入力手段１１又は情報入力補助手段１１４によって入力された入力情報は、出力電流値決定手段１２に入力される。該出力電流値決定手段１２は、入力された動作電流情報に基づいて、出力する電流値を演算によって決定する。例えば、試験対象機器として漏電遮断器１０の感度電流を試験する場合、該漏電遮断器１０の定格感度電流が３０ｍＡのときには、該３０ｍＡの６０％を演算して２４ｍＡを出力電流値として決定する。１０ｍＡのときには、該１０ｍＡの６０％を演算して６ｍＡを出力電流値として決定する。
【００４１】
また、出力電流値決定手段１２を構成するマイコンには、測定対象機器が動作したか否かを判別する動作状態判別手段１２２と、電流出力手段１３による出力電流値の出力開始から動作状態判別手段１２２の判別終了までの経過時間を計測する動作時間計測手段１２３とを備えている。
【００４２】
試験対象機器の定格電流に応じて、出力する電流を決めるため、出力電流値決定手段１２には、記憶部１２１が設けられているとともに演算するための演算式データが記憶されている。
【００４３】
例えば、試験対象機器が、漏電遮断器の場合には、動作電流情報入力手段１１によって入力された電流値情報に対して、演算で救出するデータの初期値（例えば、５０％、６０％、８０％・・・等のねらい値）、および該初期値に対して出力電流を段階的に変化させていくための変移式（初期値と段階的変移のステップの積算、例えば初期値×５％、初期値×１％、・・・）が記憶されている。
【００４４】
また、出力電流値決定手段１２を構成するマイコンには、試験対象機器の動作状態を検出する動作状態検出手段である電圧検出部１６によって検出された動作状態データが入力されることによって試験対象機器が動作したか否かを判別する動作状態判別手段１２２を記憶させて実行可能に備えている。動作状態判別手段１２２によって判別された動作情報が出力電流値決定手段１２に反映されることによって出力される電流値を演算し決定する。
【００４５】
また、電流出力手段によって出力される電流を検出するための電流検出部１８と、試験対象機器に印加される電圧を検出するための電圧検出部１６とがさらに備えられている。例えば、試験対象機器が介在する電路の電圧が単相３線式であれば、１００Ｖまたは２００Ｖを検出する。
【００４６】
ここで、情報入力手段１１は、タッチパネル式の液晶表示部で構成されている。液晶表示部に表示された入力画面を指やペンを用いて触れることによって各種の情報を入力する。入力は、よく入力する値を予め選択式で表示しておき該当する値を選択してもよいし、数字キーを表示して個別の数字を選択することによって値を入力してもよい。入力する情報は、漏電遮断器の動作電流情報、周囲環境情報、機器情報である。
【００４７】
周囲環境情報としては、外気温や湿度、天候情報等を入力する。また、機器情報としては、機器のメーカー名、定格感度電流や定格電流、機器の型式情報、製造ロット情報等を入力する。このほか、試験時のメモとして備考情報を入力してもよい。
【００４８】
情報入力補助手段１１４としては、撮像手段１１４ａを用いている。撮像手段１１４ａは、ＣＣＤ（電荷結像素子）カメラ装置やＣＭＯＳ（相補性金属酸化膜半導体）カメラ装置など、電子的に対象物を撮像して画像データを生成するカメラ装置である。
【００４９】
撮像手段１１４ａによって、漏電動作試験を行うために必要な情報が記載されている試験対象機器の所定部分を撮像することによって、撮像データを取得できる。そして、該撮像データを出力電流値決定手段に出力し、撮像データを読み取り解析することによって動作電流情報を取得する。
【００５０】
また、撮像手段１１４ａは、可搬型の漏電動作試験器１を構成する筐体から離脱可能に設けられている。図２に記載したように、撮像手段１１４ａの筐体を外方に取り出せるように構成し、撮像手段１１４ａと可搬型の漏電動作試験器１との間を電源供給用及び通信用のリード線によって接続してもよいし、可搬型の漏電動作試験器１と撮像手段１１４ａとのそれぞれに無線通信回路を設け、両者の間を無線通信によって信号伝達を行ってもよい。この場合には、撮像手段１１４ａに駆動用の電源手段（例えば、一次電池、二次電池、コンデンサ等）を備えるとよい。無線通信方式は、省電力で通信を行えるＢｌｕｅｔｏｏｔｈ（登録商標）や、特定小電力無線など種々の方式を採用するとよい。
【００５１】
また、情報入力補助手段１１４として、試験対象機器１と通信を行う通信手段１１４ｂを用いてもよい。通信手段１１４ｂは、試験対象機器１に設けられた通信用回路（図示しない）と通信を行うことによって動作電流情報を取得する。
【００５２】
前記通信用回路には、通信回路とデータ記憶部が設けられており、記憶部には、試験対象機器１の固有のデータである、機器のメーカー名、定格感度電流、定格電流、機器の型式情報、製造ロット情報等が記憶される。
【００５３】
通信手段１１４ｂは、この通信用回路に記憶された情報を読み出すことによって、動作電流情報を取得する。通信手段は、電波方式認識（ＲＦＩＤ）を用いて構成するとよい。例えば、通信用回路において、所定の無線電波を受信可能に設けられたアンテナと、所定のデータを記憶するＲＦＩＤタグを備えて構成し、可搬型の漏電動作試験器からの読み出し開始信号によってＲＦＩＤタグと通信を開始するとよい。
【００５４】
電流出力手段１３は、定電流回路で構成している。定電流回路は、出力電流値決定手段１２によって決定された電流値、例えば２４ｍＡの電流を出力する。定電流回路は、前記マイコンに接続された制御部と、該制御部によって制御されるＦＥＴ（電界効果トランジスタ）によって構成されている。
【００５５】
制御を行う場合には、電圧検出部１６によって予め試験対象機器に印加される電圧が試験されるとともに、その情報が出力電流値決定手段１２に入力されて、出力電流値決定手段１２から制御部に向けて、電圧情報に合わせた制御信号が出力される。これによって、電圧情報に合わせて内部の抵抗を切り替えることが可能となり、ＦＥＴに印加される電圧を制限しつつ、電圧変動に高速に追従させることによって定電流を維持させる。
【００５６】
特に電流が小さい領域、例えば数ミリアンペア程度の低い領域において、電流の出力制御を行う場合には、電圧の変動に伴う出力電流の変動が起きやすいため、予め試験対象機器に印加される電圧を試験することによって得られた電圧情報に合わせて内部抵抗を切り替えることによって、精度よく出力電流の大きさを制御することができる。
【００５７】
また、情報入力手段として場所情報を入力するＧＰＳ情報入力手段１１５を更に設けて、記憶手段に場所情報を記憶させるようにしてもよい。
【００５８】
ＧＰＳ情報入力手段１１５は、全地球測位システム（ＧＰＳ）を利用して試験場所を取得する電子回路である。ＧＰＳによって、試験場所における、緯度、経度、高度情報を取得し、動作電流情報、周囲環境情報、機器に固有の情報と合わせて、記憶手段１２１に記憶させる。
【００５９】
このように試験時のデータを記憶させることによって、図８に示したように地区別で見た漏電動作電流の変化を統計的に扱い、確認することができる。なお、図８のデータは模擬データである。
【００６０】
これらを総合的に判断して、機器の故障や正常動作しない可能性の傾向を把握することに役立てることが可能となる。
【００６１】
（動作について）
【００６２】
次に、可搬型の漏電動作試験器１の動作について、図４を用いて説明する。まず、試験対象機器として、漏電遮断器を対象として、該漏電遮断器における定格感度電流を試験する場合において、出力電流値を出力するまでのフローを想定する。
【００６３】
まず、試験する漏電遮断器の定格感度電流値を漏電遮断器の銘板などから読み取り、動作電流情報入力手段１１１に入力する。（ステップ  Ｓ００１ａ）
【００６４】
次に、周囲環境情報を周囲環境情報入力手段１１３に入力する。（ステップ  Ｓ００１ｂ）
【００６５】
入力は、テキスト形式で、温度＝２５℃、湿度＝６０％、天候＝晴天などと入力する。なお、可搬型の動作電流試験器に、データ出力可能な温度試験部、湿度試験部、気圧試験部等を設けておき、これら試験部からの試験データを取得することによって周囲環境情報の入力を効率化してもよい。また、これら試験データを記憶手段１２１に記憶させてもよい。
【００６６】
次に、機器情報を機器情報入力手段１１２に入力する。（ステップ  Ｓ００１ｃ）
【００６７】
入力は、テキスト形式で、機器メーカー名＝○○会社、定格感度電流＝３０ｍＡ、定格電流＝６０Ａ、型式情報＝ＧＢＵ−６３ＥＣ、製造ロット情報＝２０１６０３などと入力する。更に、試験時メモとして、分電盤の主幹に使用されている、などと入力する。なお、これらの情報を、情報入力補助手段１１４を用いて取得してもよい。
【００６８】
入力がなされた場合、出力電流値決定手段１２は、定められた初期値に基づいて出力電流値を演算し決定する。（ステップ  Ｓ００２）
【００６９】
そして、決定された電流値を出力する。（ステップ  Ｓ００３）
【００７０】
出力された電流値によって、試験する漏電遮断器が動作したか否か、電圧検出部１６によって検出し、漏電動作したこと、または漏電動作しなかったこと、などが記憶手段１２１に記憶される。（ステップ  Ｓ００４）
【００７１】
（初期値について）
【００７２】
初期値として、５０％、６０％、８０％を例として定めている。初期値５０％は、対象機器が漏電遮断器である場合において、動作してはならない下限値であるため、定めている。
【００７３】
初期値６０％は、対象機器が漏電継電器である場合において、定格感度電流が１０ｍＡと小さい場合に動作してはならない下限値であるため、定めている。
【００７４】
初期値８０％は、対象機器の定格動作設定値の８割ほどで動作するか否かをテストするために、定めている。
【００７５】
このように、ある初期値に目安をつけて、即ちねらい値を定めて動作試験を行うことによって、動作電流の試験時間を効率的に削減することができる。
【００７６】
以上のように、記憶された試験データを用いて、次のように統計処理を行うことができる。図７に示したように年別に見た漏電動作電流の推移を確認したり、図８に示したように天候別に見た漏電動作電流の変化を確認することができる。なお、図７、図８のデータは模擬データである。
【００７７】
これらを総合的に判断して、機器の故障や正常動作しない可能性の傾向を把握することに役立てることが可能となる。
【００７８】
次に、各種情報が入力されて、出力電流値を決定した後の動作時間計測のフローについて図５を用いて動作を説明する。
【００７９】
まず、試験する漏電遮断器の定格感度電流値情報などの各種情報を漏電遮断器の銘板などから読み取り、動作電流情報入力手段１１に入力する。（ステップ  Ｓ００１）
【００８０】
入力がなされた場合、出力電流値決定手段１２は、定められた初期値に基づいて出力電流値を演算し決定する。（ステップ  Ｓ００２）
【００８１】
そして、決定された電流値を出力する。（ステップ  Ｓ００３）
【００８２】
このとき、マイコン内部に設けられたカウンタを用いて、出力回数をカウントする。ステップＳ００３においては、スタートから初めて出力を行う場合であるから、カウントをゼロから１にカウントアップさせる。そして、内部に設けられた記憶部に記憶する。決定された電流値の出力が開始されると、動作時間計測手段１２３によって時間が計測され始める。時間の計測は、マイコン内部に設けられたタイマーを用いて行っている。
【００８３】
次に、動作状態判別手段１７によって、出力前後において漏電遮断器１０が動作したか否かを判別する。（ステップ  Ｓ００４）
【００８４】
判別は、電圧検出部１６によって、漏電遮断器１０に印加される電圧を検出することによって行う。ステップＳ００３によって電流が出力された後、電圧検出部１６によって検出される電圧が、１００Ｖから０Ｖに変化した場合には、出力前後において漏電遮断器１０が動作したと判別する。一方、出力前後において１００Ｖのままである場合には漏電遮断器１０は動作しなかった（不動作）と判別する。判別が終了すると同時に、動作時間計測手段１２３は時間の計測を停止し、計測した結果の時間データをマイコン内部の記憶部に記憶する。
【００８５】
次に、出力前後において漏電遮断器１０が動作した場合（フローＡとする）と動作しなかった場合（フローＢとする）において、動作フローを分けて説明する。例示として、動作電流情報入力手段１１によって入力された電流値が３０ｍＡ、出力電流値決定手段１２における初期値が８０％、電流出力手段１３からの出力電流が２４ｍＡ、初期値に対して段階的に出力電流を変化させていくための変移式が初期値×５％とする。
【００８６】
まず、出力前後において漏電遮断器が動作した場合のフローＡは次のとおりである。
【００８７】
初回の電流出力によって漏電遮断器１０が動作した場合、出力電流値決定手段１２が設けられているマイコンは出力を減少させる。（ステップ  Ｓ１０５）
【００８８】
このときの減少度合いは、前述した変移式に基づき、２４ｍＡ×５％＝１．２ｍＡであるから、次に出力する電流値は、２４ｍＡ−１．２ｍＡ＝２２．８ｍＡと減少設定される。また、２回目の出力となるため、カウントを１増やし、ｎ＝２とする。そして、２２．８ｍＡに設定した電流を出力する。また、決定された電流値の出力が開始されると、動作時間計測手段１２３は時間を計測し始める。（ステップ  Ｓ１０６）なお、フロー中、ｉは整数であり、ｉ＋＋はｉに１を足して増やすという意味である。
【００８９】
次に、出力後の漏電遮断器１０の動作状態を動作状態判別手段１２２によって判別する。（ステップ  Ｓ１０７）ここで、状態が不変化、即ち再び動作した場合には、出力した電流は漏電遮断器１０にとっては検出できる漏電電流値であったということであるから、ステップＳ１０５に戻って再度処理を繰り返す。このとき、カウントを１増やし、ｎ＝３とする。また、次回出力される電流値は、２２．８ｍＡ−１．２ｍＡ＝２１．６ｍＡと減少設定される。判別が終了すると同時に、動作時間計測手段１２３は時間の計測を停止し、計測した結果の時間データをマイコン内部の記憶部に記憶する。
【００９０】
一方、出力前後において、状態が変化した場合、即ち動作しなかった場合には、出力した電流は漏電遮断器１０が検出できなかった漏電電流値であったということであるから、ひとつ前に出力した電流値をもって動作電流値と決定する。（ステップＳ１０８）
【００９１】
したがって、この場合の動作電流値は、この場合の動作電流値は、２２．８ｍＡということになる。
【００９２】
続いて、出力前後において漏電遮断器が動作しなかった場合のフローＢは次のとおりである。図６に示した動作フローは、テスト電流を印加していく過程を示したグラフであり、この場合、大きさＩａの電流を印加した時に、所定の時間（ｔａ２−ｔａ１）をもって動作しない。
【００９３】
初回の電流出力によって漏電遮断器１０が動作しなかった場合、出力電流値決定手段１２が設けられているマイコンは出力を増加させる。（ステップ  Ｓ２０５）
【００９４】
このときの増加度合いは、前述した変移式に基づき、２４ｍＡ×５％＝１．２ｍＡであるから、次に出力する電流値は、２４ｍＡ＋１．２ｍＡ＝２５．２ｍＡと増加設定される。また、２回目の出力となるため、カウントを１増やし、ｎ＝２とする。そして、２５．２ｍＡに設定した電流を出力する。（ステップ  Ｓ２０６）また、決定された電流値の出力が開始されると、動作時間計測手段１２３によって時間が計測され始める。時間の計測は、マイコン内部に設けられたタイマーを用いて行っている。
【００９５】
次に、出力後の漏電遮断器１０の動作状態を判別する。（ステップ  Ｓ２０７）ここで、状態が不変化、即ち再び動作しなかった場合には、出力した電流は漏電遮断器１０にとっては検出できなかった漏電電流値であったということであるから、ステップＳ２０５に戻って再度処理を繰り返す。図６において、大きさＩｂの電流を印加した時に、所定の時間（ｔｂ２−ｔｂ１）をもって動作しない場合が該当する。このとき、カウントを１増やし、ｎ＝３とする。また、次回出力される電流値は、２５．２ｍＡ＋１．２ｍＡ＝２６．４ｍＡと増加設定される。図６において、大きさＩｃの電流が該当する。なお、判別が終了すると同時に、動作時間計測手段１２３は時間の計測を停止し、計測した結果の時間データをマイコン内部の記憶部に記憶する。
【００９６】
なお、時間（ｔａ２−ｔａ１）と（ｔｂ２−ｔｂ１）の長さは同じであり、測定対象機器が動作するか否かを判別するために必要な所要時間、本実施形態においては漏電遮断器１０の定格動作時間と同等時間である。即ち、定格動作時間が０．３秒であれば、所要時間は０．３秒、定格動作時間が１秒であれば、所要時間は１秒としている。
【００９７】
一方、出力前後において、状態が変化した場合、即ち動作した場合には、出力した電流は漏電遮断器１０が検出できる漏電電流値であったということであるから、今回出力した電流値をもって動作電流値と決定する。（ステップＳ２０８）図６において、大きさＩｃの電流を印加した時に、所定の時間（ｔｃ２−ｔｃ１）をもって動作した場合が該当する。
【００９８】
したがって、この場合の動作電流値は、この場合の動作電流値は、２５．２ｍＡということになる。また、動作時間は、（ｔｃ２−ｔｃ１）ということになる。このように測定対象機器における動作の下限値を測定することができる。なお、図３において、定格動作電流はＩ０で示しており、この場合の動作時間は、（ｔ０１−ｔ０２）で示される。
【００９９】
このように、ある初期値に目安をつけて、動作試験を行うことによって、動作電流の試験時間を効率的に削減しつつ、正確性をもって動作電流を試験することができる。さらに、試験対象機器の動作状況を加味することにより、より正確性をもって動作電流を試験することができる。また、測定対象機器における実使用時における動作電流値における動作時間、即ち動作の下限値を測定することができる
【０１００】
尚、本発明は、上記実施形態に限定されるものではなく、本発明の要旨を逸脱しない範囲で種々の変更が可能である。
【０１０１】
例えば、前記初期値の値を、動作電流情報入力手段１１において選択できるよう構成し、例示した５０％、６０％、８０％のほかに、減少させた４０％への設定を許容したり、増加させた９０％に設定を許容してもよい。また、初期値に対して段階的に出力電流を変化させていくための変移式において、初期値と段階的変移のステップの積算を、例示した初期値×５％、初期値×１％、のほか、ステップをより精細化させるよう初期値×０．５％としてもよいし、ステップを粗く設けて初期値×１０％としてもよい。
【０１０２】
さらに、より試験を効率化させるために、まず最初に目安をつける目的で段階的ステップの積算を、ステップを粗くした状態（初期値×１０％）で試験を行い、試験対象機器の動作状態が変化したところで変化したところで（例えば前記フローＡ、フローＢにおける状態変化点）、徐々に精細化させていく（初期値×５％、初期値×３％、初期値×１％）ように構成して、効率化と正確性の両立を図ってもよい。
【符号の説明】
【０１０３】
１  可搬型の漏電動作試験器
１０  漏電遮断器
１１  情報入力手段
１１１  動作電流情報入力手段
１１２  周囲環境情報入力手段
１１３  機器情報入力手段
１１４  情報入力補助手段
１１４ａ  撮像手段
１１４ｂ  通信手段
１１５  ＧＰＳ情報入力手段
１２  出力電流値決定手段
１２１  記憶手段
１２２  動作状態判別手段
１２３  動作時間計測手段
１３  電流出力手段
１４  電源部
１６  動作状態検出手段
１８  電流検出部
２１  テストリード
２２  テストリード
【図１】
0006623097.tif 000002
【図２】
0006623097.tif 000003
【図３】
0006623097.tif 000004
【図４】
0006623097.tif 000005
【図５】
0006623097.tif 000006
【図６】
0006623097.tif 000007
【図７】
0006623097.tif 000008
【図８】
0006623097.tif 000009
【図９】
0006623097.tif 000010
【図１０】
0006623097.tif 000011
【図１１】
0006623097.tif 000012
【図１２】
0006623097.tif 000013